(57)【特許請求の範囲】
【請求項１】
ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の縁部の上部及び下部に当該上部及び下部に対して鉛直軸の周りで回転自在となるように取付けられていると共に上レール及び下レールに横方向に移動自在に嵌合した上部嵌合体及び下部嵌合体と、一対のブラインド機構のうちの少なくとも一方のブラインド機構の横方向の他方の縁部を庇及び縦壁のうちの少なくとも一方に固定して当該一方のブラインド機構の鉛直軸の周りでの回動を禁止する解除自在なロック機構とを具備しているブラインド装置。
【請求項２】
上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の縁部の上部及び下部に当該上部及び下部に対して鉛直軸の周りで回転自在となるように取付けられていると共に上レール及び下レールに横方向に移動自在に嵌合した他の上部嵌合体及び下部嵌合体とを具備しており、両一対のブラインド機構は、横方向に一列に並んで配されている請求項１に記載のブラインド装置。
【請求項３】
ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の縁部の上部及び下部に当該上部及び下部に対して鉛直軸の周りで回転自在となるように取付けられていると共に上レール及び下レールに横方向に移動自在に嵌合した上部嵌合体及び下部嵌合体と、一対のブラインド機構のうちの少なくとも一方のブラインド機構の横方向の他方の縁部を庇及び縦壁のうちの少なくとも一方に固定して当該一方のブラインド機構の鉛直軸の周りでの回動を禁止する解除自在なロック機構と、上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の縁部の上部及び下部に当該上部及び下部に対して鉛直軸の周りで回転自在となるように取付けられていると共に上レール及び下レールに横方向に移動自在に嵌合した他の上部嵌合体及び下部嵌合体とを具備しており、両一対のブラインド機構は、横方向に一列に並んで配されており、ロック機構は、一対のブラインド機構のうちの少なくとも一方のブラインド機構の鉛直軸の周りでの回動を禁止している状態で、当該少なくとも一方のブラインド機構に隣接する他の少なくとも一対のブラインド機構のうちの一方のブラインド機構の鉛直軸の周りでの回動を禁止できるようになっているブラインド装置。
【請求項４】
ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の他方の縁部の上部及び下部に当該上部及び下部に対して鉛直軸の周りで回転自在となるように取付けられていると共に上レール及び下レールに横方向に移動自在に嵌合した上部嵌合体及び下部嵌合体と、一対のブラインド機構のうちの少なくとも一方のブラインド機構の横方向の縁部を庇及び縦壁のうちの少なくとも一方に固定して当該一方のブラインド機構の鉛直軸の周りでの回動を禁止する解除自在なロック機構とを具備しているブラインド装置。
【請求項５】
上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の他方の縁部の上部及び下部に当該上部及び下部に対して鉛直軸の周りで回転自在となるように取付けられていると共に上レール及び下レールに横方向に移動自在に嵌合した上部嵌合体及び下部嵌合体とを具備しており、両一対のブラインド機構は、横方向に一列に並んで配されている請求項４に記載のブラインド装置。
【請求項６】
各ブラインド機構は、第一のリンク機構と、この第一のリンク機構に並置された第二のリンク機構と、一端が第一のリンク機構に、他端が第二のリンク機構に夫々連結されてなる複数のスラット支持機構と、このスラット支持機構の夫々に支持されたスラットと、スラットを上昇、下降させる上昇・下降機構と、この上昇・下降機構によるスラットの上昇、下降において第一及び第二のリンク機構に相対的な位置変化を生じさせて、スラットを傾動させるチルト機構とを具備している請求項１から５のいずれか一項に記載のブラインド装置。
【請求項７】
各スラット支持機構は、略中央部でスラットを支持するアーム部材を具備しており、第一のリンク機構は、各アーム部材の一端部に連結された可撓性の帯状体を具備しており、第二のリンク機構は、各アーム部材の他端部に連結された可撓性の帯状体を具備している請求項６に記載のブラインド装置。
【請求項８】
上昇・下降機構は、チルト機構を介して最上位のアーム部材に連結されており、チルト機構を介して最上位のアーム部材を持ち上げてスラットを上昇させるようになっている請求項６又は７に記載のブラインド装置。
【発明の詳細な説明】
【０００１】
【発明の属する技術分野】
本発明は、集合住宅等のベランダに配されて、必要に応じてベランダを介する部屋内への太陽光を遮ることができる上に目隠し及び防犯にも適し、しかも、遮光状態でも確実な通風を可能として、加えて火災等においても逃げ場を塞ぐことのないブラインド装置に関する。
【０００２】
【発明が解決しようとする課題】
集合住宅等のベランダに面した部屋は、ベランダを介する太陽光に直接に晒されて、その温度が上昇して冷房の効果が半減する虞があり、また、一階はいうに及ばず上層階のベランダに面した部屋は、ベランダを介して道路又は隣接集合住宅等の外部から丸見えとなり、その部屋でのプライバシーの保護が困難である。
【０００３】
ところで、窓の外側にブラインド装置を設置する場合には、建物の梁やスラットを収納するスペース等により窓の高さ制限が生じて開口が狭くなって開放感を阻害する上に、ベランダ側への張り出しのためにベランダ空間が狭くなり、また避難及び消防活動のため室内と室外から簡単に開放できる非常用の開放装置が必要となる。
【０００４】
本発明は、前記諸点に鑑みてなされたものであって、その目的とするところは、必要に応じてベランダを介する部屋内への太陽光を遮ることができる上に目隠し及び防犯にも適し、しかも、遮光状態でも確実な通風を可能として、火災等においても逃げ場を塞ぐことがなく、ベランダ空間を狭くしない上に、ベランダに面した部屋の窓を狭くすることもなく、集合住宅等に好適なブラインド装置を提供することにある。
【０００５】
【課題を解決するための手段】
本発明の第一の態様のブラインド装置は、ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の縁部の上部及び下部に当該上部及び下部に対して鉛直軸の周りで回転自在となるように取付けられていると共に上レール及び下レールに横方向に移動自在に嵌合した上部嵌合体及び下部嵌合体とを具備している。
【０００６】
本発明の第一の態様のブラインド装置によれば、上レール及び下レール間に配設された少なくとも一対のブラインド機構が横方向に折り畳み自在となるように互いに隣接する横方向の縁部で互いに連結されており、上レール及び下レールに横方向に移動自在に嵌合した上部嵌合体及び下部嵌合体が各ブラインド機構の横方向の縁部の上部及び下部に当該上部及び下部に対して鉛直軸の周りで回転自在となるように取付けられているために、必要に応じてベランダの庇と縦壁との間に一対のブラインド機構を横方向に一列に並べて配置でき、而して、ベランダを介する部屋内への太陽光を遮ることができる上に目隠し及び防犯をも行い得、しかも、遮光状態でも確実な通風を可能とする上に、突然の雨によるベランダへの吹き込みを防ぐことができると共に、鳥のベランダへの進入を防ぎ得て鳩公害等を回避でき、また一対のブラインド機構を横方向に折り畳んで、隣接するベランダと分離するパーティションに重ね合わせることにより、ベランダを大きく開放できて、ベランダ空間を狭くしない上に、ベランダに面した部屋の窓を狭くすることもなく、加えて、火災等において外部からの進入、消防活動を円滑にできる上に、折り畳まれてパーティションに重ね合わされた状態でもブラインドの下方のパーティション部分に避難用の開口部を設けることで避難経路は確保することができ、また避難階（通常は一階）においては横方向に折畳まれて逃げ場をふさぐことがない上に、一対のブラインド機構を容易に元に戻すことができる。
【０００７】
本発明の第二の態様のブラインド装置は、第一の態様のブラインド装置において、一対のブラインド機構のうちの少なくとも一方のブラインド機構の横方向の他方の縁部を庇及び縦壁のうちの少なくとも一方に固定して当該一方のブラインド機構の鉛直軸の周りでの回動を禁止する解除自在なロック機構を具備している。
【０００８】
第二の態様のブラインド装置によれば、横方向に一列に並べて配置した一対のブラインド機構のその状態を風等により影響されることなしに確実に保持できる。
【０００９】
本発明のブラインド装置は、その第三の態様のブラインド装置のように、上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の縁部の上部及び下部に当該上部及び下部に対して鉛直軸の周りで回転自在となるように取付けられていると共に上レール及び下レールに横方向に移動自在に嵌合した他の上部嵌合体及び下部嵌合体とを更に具備しており、ここで、両一対のブラインド機構が、横方向に一列に並んで配されていてもよい。
【００１０】
第三の態様のブラインド装置においては、少なくとも一対のブラインド機構を、一方側で隣接するベランダと分離するパーティションに重ね合わせ、他の少なくとも一対のブラインド機構を、他方側で隣接するベランダと分離するパーティションに重ね合わせて、ベランダを開放してもよいが、両方ともいずれかの側で隣接するベランダと分離するパーティションに重ね合わせてもよい。
【００１１】
本発明の第四の態様のブラインド装置は、ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の縁部の上部及び下部に当該上部及び下部に対して鉛直軸の周りで回転自在となるように取付けられていると共に上レール及び下レールに横方向に移動自在に嵌合した上部嵌合体及び下部嵌合体と、一対のブラインド機構のうちの少なくとも一方のブラインド機構の横方向の他方の縁部を庇及び縦壁のうちの少なくとも一方に固定して当該一方のブラインド機構の鉛直軸の周りでの回動を禁止する解除自在なロック機構と、上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の縁部の上部及び下部に当該上部及び下部に対して鉛直軸の周りで回転自在となるように取付けられていると共に上レール及び下レールに横方向に移動自在に嵌合した他の上部嵌合体及び下部嵌合体とを具備しており、ここで、両一対のブラインド機構は、横方向に一列に並んで配されており、ロック機構は、一対のブラインド機構のうちの少なくとも一方のブラインド機構の鉛直軸の周りでの回動を禁止している状態で、当該少なくとも一方のブラインド機構に隣接する他の少なくとも一対のブラインド機構のうちの一方のブラインド機構の鉛直軸の周りでの回動を禁止できるようになっている。
【００１２】
第四の態様のブラインド装置によれば、上記の第一及び第二の態様のブラインド装置と同様の効果を得ることができる上に、更に、ロック機構により一挙動で、他の少なくとも一対のブラインド機構のうちの一方のブラインド機構の鉛直軸の周りでの回動を禁止でき、操作性に優れたものを提供できる。
【００１３】
本発明の第五の態様のブラインド装置は、ベランダの庇に横方向に張設された上レールと、ベランダの縦壁に横方向に張設された下レールと、上レール及び下レール間に配設されていると共に、横方向に折り畳み自在となるように互いに隣接する横方向の縁部で互いに連結された少なくとも一対のブラインド機構と、各ブラインド機構の横方向の他方の縁部の上部及び下部に当該上部及び下部に対して鉛直軸の周りで回転自在となるように取付けられていると共に上レール及び下レールに横方向に移動自在に嵌合した上部嵌合体及び下部嵌合体とを具備している。
【００１４】
第五の態様のブラインド装置でも、第一の態様のブラインド装置のように、必要に応じてベランダの庇と縦壁との間に一対のブラインド機構を横方向に一列に並べて配置でき、而して、ベランダを介する部屋内への太陽光を遮ることができる上に目隠し及び防犯をも行い得、しかも、遮光状態でも確実な通風を可能として、また一対のブラインド機構を横方向に折り畳んで、隣接するベランダと分離するパーティションに重ね合わせることにより、ベランダを大きく開放できて、ベランダ空間を狭くしない上に、ベランダに面した部屋の窓を狭くすることもなく、加えて、一対のブラインド機構を横方向に折り畳むことにより火災等においても逃げ場を塞ぐことがない上に、折り畳まれてパーティションに重ね合わされた一対のブラインド機構を容易に元に戻すことができるために、隣接するベランダを介する火災等における逃げ場を塞ぐことがない。
【００１５】
本発明の第六の態様のブラインド装置は、第五の態様のブラインド装置において、一対のブラインド機構のうちの少なくとも一方のブラインド機構の横方向の縁部を庇及び縦壁のうちの少なくとも一方に固定して当該一方のブラインド機構の鉛直軸の周りでの回動を禁止する解除自在なロック機構を具備している。
【００１６】
第六の態様のブラインド装置によっても、第二の態様のブラインド装置と同様に、横方向に一列に並べて配置した一対のブラインド機構のその状態を風等により影響されることなしに確実に保持できる。
【００１７】
本発明の第七の態様のブラインド装置は、第五又は第六の態様のブラインド装置において、上レール及び下レール間に配設されていると共に、横方向に折り畳み自在となるように互いに隣接する横方向の縁部で互いに連結された他の少なくとも一対のブラインド機構と、他の少なくとも一対のブラインド機構の夫々の横方向の他方の縁部の上部及び下部に当該上部及び下部に対して鉛直軸の周りで回転自在となるように取付けられていると共に上レール及び下レールに横方向に移動自在に嵌合した上部嵌合体及び下部嵌合体とを具備しており、ここで、両一対のブラインド機構は、横方向に一列に並んで配されている。
【００１８】
第七の態様のブラインド装置においても、少なくとも一対のブラインド機構を、一方側で隣接するベランダと分離するパーティションに重ね合わせ、他の少なくとも一対のブラインド機構を、他方側で隣接するベランダと分離するパーティションに重ね合わせて、ベランダを開放してもよいが、両方ともいずれかの側で隣接するベランダと分離するパーティションに重ね合わせてもよい。
【００１９】
以上のいずれかの態様のブラインド装置においては、好ましくは本発明の第八の態様のブラインド装置のように、各ブラインド機構は、第一のリンク機構と、この第一のリンク機構に並置された第二のリンク機構と、一端が第一のリンク機構に、他端が第二のリンク機構に夫々連結されてなる複数のスラット支持機構と、このスラット支持機構の夫々に支持されたスラットと、スラットを上昇、下降させる上昇・下降機構と、この上昇・下降機構によるスラットの上昇、下降において第一及び第二のリンク機構に相対的な位置変化を生じさせて、スラットを傾動させるチルト機構とを具備している。
【００２０】
第八の態様のブラインド装置において、好ましくは本発明の第九の態様のブラインド装置のように、各スラット支持機構は、略中央部でスラットを支持するアーム部材を具備しており、第一のリンク機構は、各アーム部材の一端部に連結された可撓性の帯状体を具備しており、第二のリンク機構は、各アーム部材の他端部に連結された可撓性の帯状体を具備しており、また、第八又は第九の態様のブラインド装置において、上昇・下降機構は、好ましくは本発明の第十の態様のブラインド装置のように、チルト機構を介して最上位のアーム部材に連結されており、チルト機構を介して最上位のアーム部材を持ち上げてスラットを上昇させるようになっている。
【００２１】
なお、本発明では、ブラインド機構は、一対又は二対に限らないのであって、３個以上又は５個以上であってもよいのである。また、本発明のブラインド装置が設置されるベランダは、両側に他のベランダが存在しているものに限らず、片側のみに他のベランダが存在しているものであってもよく、更には、一階のベランダに限らないのである。また、本発明におけるブラインド機構は、上昇・下降機構を具備しないもの、即ち、複数のスラットを上昇、下降させないで、複数のスラットの夫々をその位置で完全目隠し及び簾状の目隠しのために単に回動させるようにしたものでもよく、更には、夫々が横方向（水平方向）に伸びた複数のスラットを互いに縦方向（上下方向）に並置してなるものに代えて、夫々が縦方向に伸びた複数のスラットを互いに横方向に並置したものであってもよく、この場合にも、複数のスラットを横方向に移動させないで、各スラットをその位置で単に回動させるようにしたものでもよい。
【００２２】
次に本発明及びその実施の形態を、図に示す好ましい例に基づいて更に詳細に説明する。なお、本発明はこれらの例に何等限定されないのである。
【００２３】
【発明の実施の形態】
図１から図９において本例のブラインド装置１は、ベランダ２の庇３の下面４に固定されて横方向Ｈ、即ち水平方向に張設された上レール５と、ベランダ２の縦壁６の内側面７に固定されて横方向Ｈに張設された下レール８と、上レール５及び下レール８間に配設されていると共に、横方向Ｈに折り畳み自在となるように互いに隣接する横方向Ｈの縁部である縦枠９及び１０で互いに連結された少なくとも一対のブラインド機構、本例では縦枠９及び１０でヒンジ部材１１を介して互いに連結された一対のブラインド機構１２及び１３並びにブラインド機構１３に横方向Ｈの他方の縁部である縦枠１４にヒンジ部材１５を介して連結された他方の縁部である縦枠１６を有するブラインド機構１７と、ブラインド機構１２及び１３の夫々の横方向Ｈの縦枠９及び１０の上部及び下部に当該上部及び下部に対して鉛直軸Ｖの周りで回転自在となるように取付けられていると共に上レール５及び下レール８に横方向Ｈに移動自在に、本例では回転自在に嵌合した上部嵌合体及び下部嵌合体としてのローラ１８及び１９並びに２０及び２１と、一対のブラインド機構１２及び１３のうちの少なくとも一方のブラインド機構、本例ではブラインド機構１２の横方向Ｈの他方の縁部である縦枠２２を庇３及び縦壁６のうちの少なくとも一方、本例では庇３及び縦壁６の両方に固定して当該一方のブラインド機構１２の鉛直軸Ｖの周りでの回動を禁止する解除自在なロック機構２３と、上レール５及び下レール８間に配設されていると共に、横方向Ｈに折り畳み自在となるように互いに隣接する横方向Ｈの縁部である縦枠３１及び３２でヒンジ部材３３を介して互いに連結された他の少なくとも一対のブラインド機構、本例では縦枠３１及び３２でヒンジ部材３３を介して互いに連結された一対のブラインド機構３４及び３５並びにブラインド機構３４に横方向Ｈの他方の縁部である縦枠３６でヒンジ部材３８を介して連結された縦枠３７を有したブラインド機構３９と、他の一対のブラインド機構３４及び３５の夫々の横方向の縦枠３１及び３２の上部及び下部に当該上部及び下部に対して鉛直軸Ｖの周りで回転自在となるように取付けられていると共に上レール５及び下レール８に横方向Ｈに移動自在に、本例では回転自在に嵌合した他の上部嵌合体及び下部嵌合体としてのローラ４１及び４２並びに４３及び４４とを具備している。
【００２４】
図６に特に詳細に示すように、上レール５は、複数のブラケット５１、ボルト等を介して庇３の下面４に固定されており、下レール８は、同じく複数のブラケット５２、ボルト等を介して縦壁６の内側面７に固定されている。上レール５及び下レール８の夫々は、隣接する両ベランダと分離する両パーティション５３及び５４まで伸びている。各ブラケット５１は、ボルト等を介して庇３の下面４に固定されており、各ブラケット５２も、ボルト等を介して縦壁６の内側面７に固定されている。
【００２５】
ヒンジ部材１１及び３３は、内側、即ちベランダ２側に配されており、ヒンジ部材１５及び３８は、外側、即ち外部に面して配されている。
【００２６】
ブラインド機構１２、１３、１７、３４、３５及び３９は、横方向Ｈに一列に並んで配されており、ブラインド機構１７の一方の縁部である縦枠５５は、その上部及び下部でブラケット、軸ピン等を介して上レール５及び下レール８の横方向Ｈの一方の端部に鉛直軸Ｖの周りで回転自在となる一方、横方向Ｈには不動になるように取付けられており、ブラインド機構３９の一方の縁部である縦枠５６もまた、その上部及び下部でブラケット、軸ピン等を介して上レール５及び下レール８の横方向Ｈの他方の端部に鉛直軸Ｖの周りで回転自在となる一方、横方向Ｈには不動になるように取付けられている。なお、縦枠５５及び５６は、横方向Ｈには可動になるように取付けられていてもよい。
【００２７】
ブラインド機構１２、１３、１７、３４、３５及び３９の夫々は、互いに同様に構成されているので、以下、主にブラインド機構１２について詳細に説明し、必要に応じて他のブラインド機構１３、１７、３４、３５及び３９について詳細に説明する。
【００２８】
ブラインド機構１２は、縦枠９及び２２に加えて、縦枠９及び２２を上部及び下部で橋絡する上部横枠６１及び下部横枠６２と、特に図７に詳細に示すようなリンク機構６３と、リンク機構６３に並置されたリンク機構６４と、一端がリンク機構６３に、他端がリンク機構６４に夫々連結されてなる複数のスラット支持機構６５と、スラット支持機構６５の夫々に支持された複数枚のスラット６６と、スラット６６を上昇、下降させる上昇・下降機構６７と、上昇・下降機構６７によるスラット６６の上昇、下降においてリンク機構６３及び６４に相対的な位置変化を生じさせて、スラット６６を傾動させるチルト機構６８とを具備している。
【００２９】
各スラット６６は、縦枠９及び２２間に配されており、リンク機構６３及び６４並びにチルト機構６８は、縦枠２２内に配されており、リンク機構６３及び６４並びにチルト機構６８と同様のリンク機構及びチルト機構が縦枠９内にも配されており、縦枠９内の構造は、縦枠２２内のそれと同様であるので、以下、縦枠２２内の構造について詳細に説明し、必要に応じて縦枠９内の構造について説明する。
【００３０】
縦枠９に対面する縦枠２２の側面には、上下方向に伸びるスリットからなる案内路７０が形成されており、各スラット支持機構６５は、案内路７０を通って伸長する軸部１２１を有した支持部材７１と、支持部材７１の軸部１２１が略中央部に固着されていると共に縦枠２２内に配されたアーム部材７２と、アーム部材７２の各端部に取付けられた軸部７３及び７４とを具備しており、縦枠２２外に突出した支持部材７１にスラット６６の一端部７５が嵌着されている。
【００３１】
リンク機構６３及びリンク機構６４の夫々は、合成樹脂製糸の織物若しくは編物又は金属製テープ等からなる可撓性の帯状体８１及び８２を具備しており、帯状体８１は、各アーム部材７２の一端部の軸部７３に回動自在に連結されており、帯状体８２も、各アーム部材７２の他端部の軸部７４に回動自在に連結されている。最下位のアーム部材７２の一端部の軸部７３に回動自在に連結された後の帯状体８１の下端は、弾性伸縮自在なコイルばね（図示せず）の一端に連結されており、当該コイルばねの他端は、縦枠２２の下部に連結されており、こうして帯状体８１の下端は、弾性伸縮自在なコイルばねを介して縦枠２２の下部に連結、固定されている。
【００３２】
チルト機構６８を介して最上位のアーム部材７２に連結されていると共にチルト機構６８を介して最上位のアーム部材７２を持ち上げて各スラット６６を上昇させるようになっている上昇・下降機構６７は、縦枠２２の内部の上部に回転自在に支持されたプーリ８５及び８６と、縦枠２２の内部の下部に回転自在に支持されたドラム８７と、ドラム８７に巻き付けられていると共にプーリ８５及び８６を介して転向されて繰り出し端８８が軸８９に巻き付けられた金属製のベルト９０と、軸８９に回転自在に取り付けられた可動台９１と、ローラ案内路９２に配されていると共に、可動台９１に回転自在に支持された一対のローラ９３と、ドラム８７を回転させる回転駆動装置９４とを具備している。
【００３３】
ローラ案内路９２は、縦枠２２に一体的に形成された一対の案内壁９５により画成されている。
【００３４】
回転駆動装置９４は、下部横枠６２に回転自在に取り付けられたハンドル１００と、ハンドル１００のねじ部１０１に噛合った歯車部１０２を有した軸１０３とを具備している。
【００３５】
下部横枠６２内を伸長する軸１０３は、各端で縦枠９及び２２に回転自在に支持されており、軸１０３の一端部にはドラム８７が固着されている。なお、軸１０３の他端部には、ドラム８７に相当すると共に縦枠９内に配されたドラムが固着されている。
【００３６】
上昇・下降機構６７では、ハンドル１００が手動で回転されると、ねじ部１０１及び歯車部１０２からなるウォーム・歯車機構を介して軸１０３が回転されてドラム８７が回転され、ドラム８７の回転でベルト９０が走行されて軸８９が上昇・下降されるようになっている。
【００３７】
チルト機構６８は、最上位のアーム部材７２と一体なチルトアーム１１１と、チルトアーム１１１の回動状態を設定するカム機構１１２とを具備しており、ベルト９０の繰り出し端８８が巻き付けられて連結された軸８９は、最上位のアーム部材７２に、支持部材７１の軸部１２１が取付けられた面と反対の面で当該支持部材７１の軸部１２１と同心になるように固着されており、こうしてベルト９０の繰り出し端８８が軸８９を介して最上位のスラット支持機構６５に連結されていることにより、上昇・下降機構６７は、最上位のスラット支持機構６５を持ち上げるようになっている。
【００３８】
カム機構１１２は、チルトアーム１１１の中間部に回転自在に取付けられたカムとしてのローラ１１５と、縦枠２２に設けられて、上昇・下降機構６７による最上位のスラット支持機構６５の持ち上げにおいてローラ１１５の移動を案内する案内面１１６とを具備している。
【００３９】
案内面１１６は、上下方向に伸びた直線案内面１１７と、直線案内面１１７に連続しており、直線案内面１１７の伸びる方向に対して交差して上方に伸びた交差案内面１１８とを具備しており、直線案内面１１７は、支持部材７１の軸部１２１が貫通すると共に、軸部１２１の上下移動を許容するように上下方向に伸びた案内路７０を画定しており、交差案内面１１８は、案内路７０に連続しており、案内路７０の伸びる方向に対して交差して伸びた交差案内路１２２を画定している。
【００４０】
ブラインド機構１２では、縦枠９及び２２並びに上部横枠６１及び下部横枠６２で囲まれた開口部１４２の開放状態においては、帯状体８１及び８２は略中間で曲げられて折り畳まれており、スラット６６の夫々は下方に互いに密に重合されて（束ねられて）いる。開口部１４２の閉鎖に際してハンドル１００が手動回動されると、ねじ部１０１、歯車部１０２及び軸１０３を介してドラム８７が回転され、これによりベルト９０がドラム８７に巻き込まれて、チルトアーム１１１が可動台９１並びにローラ９３を介してローラ案内路９２に案内されて上昇されると共に、チルトアーム１１１の上昇により、図７に示すように、帯状体８１及び８２もその上端側から伸長され、而してアーム部材７２も上方側から上方に持ち上げられる結果、アーム部材７２に固定されたスラット６６の夫々は、順次、閉鎖方向に持ち上げられる。図７に示すように、ローラ１１５が直線案内面１１７に当接して案内されている際には、スラット６６がほぼ水平方向の傾動状態に保持される。
【００４１】
更に、ベルト９０のドラム８７への巻き込みにより帯状体８１及び８２が伸長されて、開口部１４２の完全閉鎖直前位置で帯状体８１が伸びきると、帯状体８１は、その下端と縦枠２２の下部とに介在されたコイルばねにより弾性的に下方に付勢されて、チルトアーム１１１に図７において反時計回りの回転モーメントを生じさせることになる。斯かる状態でローラ１１５が交差案内面１１８に臨んで、直線案内面１１７への当接案内から交差案内面１１８への当接案内に移行して図１０に示すように交差案内路１２２に配されると、チルトアーム１１１が回動され始めて、帯状体８１に対して帯状体８２がより持ち上げられるようになり、これにより図６においてスラット６６が反時計回りの方向に回動され、図１０に示すように順次垂直方向の傾動状態に設定される。
【００４２】
更なるベルト９０のドラム８７への巻き込みにより、ローラ１１５の交差案内面１１８への当接案内に基づくチルトアーム１１１の回動で、スラット６６がほぼ垂直方向の傾動状態に保持されて開口部１４２が完全閉鎖される。その後、ハンドル１００の手動回動が停止され閉鎖動作が完了する。ハンドル１００の手動回動の停止が若干遅れて帯状体８１が伸びきっても、帯状体８１の下端に連結されたコイルばねにより当該下端の上方への若干の移動が許容されるために、帯状体８１が損傷することがない。
【００４３】
開口部１４２の開放においては、ハンドル１００が前記と逆に手動回動され、これによりローラ１１５が交差案内面１１８への当接案内から直線案内面１１７への当接案内に移行して、帯状体８１及び８２は下方から順次折り畳まれるようになる。
【００４４】
上記の上昇・下降機構６７では、ハンドル１００を具備して、手動でスラット６６を上昇・下降させるように構成したが、これに代えて又はこれと共に、電動モータでスラット６６を自動で上昇・下降させるように上昇・下降機構６７を構成してもよい。
【００４５】
ロック機構２３は、縦枠２２に回転自在に支持された操作レバー１３１と、縦枠２２内に上下動自在に配されていると共に上端部及び下端部が縦枠２２の上部及び下部から外部に突出したロッド１３２及び１３３とを具備している。
【００４６】
操作レバー１３１は、操作レバー１３１の回転中心から偏心した中心を有する円弧スリット１３５及び１３７を具備しており、ロッド１３２の曲折された下端部１３４は、縦枠２２に上下方向に短く伸びて形成されたスリット（図示しない）を介して外部に突出していると共に円弧スリット１３５に挿入されて操作レバー１３１に係合しており、ロッド１３２の曲折された上端部１３６も、縦枠２２に上下方向に短く伸びて形成されたスリット（図示しない）を介して外部に突出していると共に円弧スリット１３７に挿入されて操作レバー１３１に係合している。
【００４７】
ロック機構２３では、操作レバー１３１が回動されない際（図４に示す位置）には、ロッド１３２は、その上端部がブラケット５１に形成された貫通孔に挿入されるように上昇位置に配されており、ロッド１３３は、その下端部がブラケット５２に形成された貫通孔に挿入されるように下降位置に配され、操作レバー１３１が図４に示す状態から時計回りの方向に手動で９０度だけ回動されると、ロッド１３２は、その上端部がブラケット５１に形成された貫通孔から抜かれるように下げられて下降位置に配されると共に、ロッド１３３は、その下端部がブラケット５２に形成された貫通孔から抜かれるように上げられて上降位置に配されるようになっている。
【００４８】
ロック機構２３の操作レバー１３１は、ブラインド機構１２に隣接するブラインド機構３４の縦枠１４１に重ね合わさるようになっており、これにより、ロック機構２３は、ブラインド機構１２の鉛直軸Ｖの周りでの回動を禁止している状態（図４に示す状態）で、当該ブラインド機構１２に隣接するブラインド機構３４の鉛直軸Ｖの周りでの回動を禁止できるようになっている。
【００４９】
以上のブラインド装置１では、ヒンジ部材１１及び１５を介して互いに横方向Ｈに折り畳み自在に連結されたブラインド機構１２、１３及び１７と、ヒンジ部材３３及び３８を介して互いに横方向Ｈに折り畳み自在に連結されたブラインド機構３４、３５及び３９とを図３に示すように横方向に一列に並べて配置でき、この状態で、ブラインド機構１２、１３、１７、３４、３５及び３９の各ハンドル１００を手動回動して各ブラインド機構のスラット６６により開口部１４２を含む各開口部を適宜な閉鎖状態に設定することにより、障子窓１５１で画成された部屋１５２内へのベランダ２を介する太陽光を遮ることができる上に目隠し及び防犯をも行い得、しかも、遮光状態でも確実な通風が可能となる上に、突然の雨によるベランダ２への吹き込みを防ぐことができると共に、鳥のベランダ２への進入を防ぎ得て鳩公害等を回避できる。
【００５０】
また、ロック機構２３により図４に示すようにブラインド機構１２及び３４を鉛直軸Ｖの周りで回動できないようにすると、横方向に一列に並べて配置したブラインド機構１２、１３、１７、３４、３５及び３９のその状態を風等により影響されることなしに確実に保持でき、また、ロック機構２３は、ブラインド機構１２の鉛直軸Ｖの周りでの回動を禁止している状態で、ブラインド機構３４の鉛直軸Ｖの周りでの回動を禁止できるようになっているために、ロック機構２３により一挙動でブラインド機構１２に加えてブラインド機構３４の鉛直軸Ｖの周りでの回動を禁止でき、操作性に極めて優れている。
【００５１】
ロック機構２３によるブラインド機構１２及び３４の鉛直軸Ｖの周りでの回動禁止を解除して、ブラインド機構１２及び３４を鉛直軸Ｖの周りで回動させると共に、残るブラインド機構１３、１７、３５及び３９もまた、図１１に示すように鉛直軸Ｖの周りで回動させると共に、ブラインド機構１２、１３及び１７を折り畳みつつ隣接する一方のベランダと分離するパーティション５３に重ね合わせと共に、同じくブラインド機構３４、３５及び３９を折り畳みつつ隣接する他方のベランダと分離するパーティション５４に重ね合わせることにより、ベランダ２を大きく開放できて、ベランダ空間を狭くしない上に、ベランダ２に面した部屋１５２の障子窓１５１を狭くすることもなく、加えて、火災等において外部からの進入、消防活動を円滑にできる上に、折り畳まれてパーティション５３及び５４に重ね合わされた状態でもブラインド機構１２、１３及び１７並びに３４、３５及び３９の下方のパーティション５３及び５４の部分に避難用の開口部１６１を設けることで避難経路を確保することができ、また避難階（通常は一階）においては横方向に折畳まれて逃げ場をふさぐことがない上に、ブラインド機構１２、１３及び１７並びに３４、３５及び３９を容易に元に戻すことができる。
【００５２】
ところで、ブラインド装置１では、ブラインド機構１２、１３及び１７をヒンジ部材１１及び１５を介して互いに横方向Ｈに折り畳み自在に連結し、ブラインド機構３４、３５及び３９をヒンジ部材３３及び３８を介して互いに横方向Ｈに折り畳み自在に連結したが、これに代えて、図１２及び図１３に示すように、ブラインド機構１２とブラインド機構３４とを、それらの縦枠２２及び１４１でヒンジ部材（図示せず）を介して互いに横方向Ｈに折り畳み自在に連結し、ブラインド機構１３とブラインド機構１７とを、それらの縦枠１４及び１６でヒンジ部材（図示せず）を介して互いに横方向Ｈに折り畳み自在に連結し、そしてブラインド機構３５とブラインド機構３９とを、それらの縦枠３６及び３７でヒンジ部材（図示せず）を介して互いに横方向Ｈに折り畳み自在に連結し、ブラインド機構１２、１３、３４及び３５の夫々の縦枠９、１０、３１及び３２の上部及び下部に、当該上部及び下部に対して鉛直軸Ｖの周りで回転自在となると共に、上レール５及び下レール８に横方向Ｈに移動自在に嵌合した上部嵌合体及び下部嵌合体としての前記のローラ１８及び１９等と同様のローラを取付けて、各一対のブラインド機構１２及び３４、１３及び１７並びに３５及び３９を横方向Ｈに一列に並んで配されるようにして、ブラインド装置２０１を構成してもよい。
【００５３】
ブラインド装置２０１でも、ブラインド装置１と同等の効果を得ることができる。
【００５４】
なお、ブラインド装置１でも同様であるが、ロック機構２３を図１２及び図１３に示すように縦枠２２、１４及び３６に設けてもよい。
【００５５】
更に、ブラインド装置１では、ブラインド機構１２、１３及び１７をヒンジ部材１１及び１５を介して互いに横方向Ｈに折り畳み自在に連結し、ブラインド機構３４、３５及び３９をヒンジ部材３３及び３８を介して互いに横方向Ｈに折り畳み自在に連結したが、これに代えて、図１４に示すように、ブラインド機構３４、１２、１３及び１７を、それらの縦枠１４１及び２２、９及び１０並びに１４及び１６でヒンジ部材（図示せず）を介して互いに横方向Ｈに折り畳み自在に連結し、ブラインド機構３５及び３９を、それらの縦枠３６及び３７でヒンジ部材（図示せず）を介して互いに横方向Ｈに折り畳み自在に連結してブラインド装置２０２を構成してもよい。ブラインド装置２０２でもブラインド装置１及び２０１と同等の効果を得ることができる。
【００５６】
【発明の効果】
本発明によれば、必要に応じてベランダを介する部屋内への太陽光を遮ることができる上に目隠し及び防犯にも適し、しかも、遮光状態でも確実な通風を可能として、火災等においても逃げ場を塞ぐことがなく、ベランダ空間を狭くしない上に、ベランダに面した部屋の窓を狭くすることもなく、集合住宅等に好適なブラインド装置を提供することができる。
【図面の簡単な説明】
【図１】本発明の好ましい一例の断面説明図である。
【図２】図１に示す例の平面説明図である。
【図３】図１に示す例の外側から見た正面図である。
【図４】図１に示す例のベランダから見た一部の正面図である。
【図５】図１に示す例の平面説明図である。
【図６】図４に示すＶＩ−ＶＩ線矢視断面説明図である。
【図７】図６に示す一部の拡大説明図である。
【図８】図６に示す一部の平面断面図である。
【図９】図６に示す一部の側面断面図である。
【図１０】図１に示す例の動作説明図である。
【図１１】図１に示す例の動作説明図である。
【図１２】本発明の好ましい他の例の断面説明図である。
【図１３】図１２に示す例の平面説明図である。
【図１４】本発明の好ましい更に他の例の平面説明図である。
【符号の説明】
１  ブラインド装置
２  ベランダ
３  庇
５  上レール
６  縦壁
８  下レール
９、１０  縦枠
１２、１３  ブラインド機構
１８、１９、２０、２１  ローラ
２３  ロック機構
【図１】
0003899906.tif 000002
【図２】
0003899906.tif 000003
【図３】
0003899906.tif 000004
【図４】
0003899906.tif 000005
【図５】
0003899906.tif 000006
【図６】
0003899906.tif 000007
【図７】
0003899906.tif 000008
【図８】
0003899906.tif 000009
【図９】
0003899906.tif 000010
【図１０】
0003899906.tif 000011
【図１１】
0003899906.tif 000012
【図１２】
0003899906.tif 000013
【図１３】
0003899906.tif 000014
【図１４】
0003899906.tif 000015